(57)【特許請求の範囲】
【請求項１】
装填されるＤＶＤに記録された所定の再生信号を読み出して出力するためのメカを備えたＤＶＤユニットと、装填されるビデオカセットのビデオテープに記録された所定の再生信号を読み出して出力するためのメカを備えたビデオカセットユニットとの双方を備えたＤＶＤとビデオカセットとの一体型再生装置であって、
上記ＤＶＤユニットとビデオカセットユニットとが載置固定されるとともに本ＤＶＤとビデオカセットとの一体型再生装置の下面を形成するシャーシと、
本ＤＶＤとビデオカセットとの一体型再生装置の後面を形成するように上記シャーシに固定されるリアパネルと、
本ＤＶＤとビデオカセットとの一体型再生装置の上面および側面を形成するように上記シャーシに固定される断面略コの字形状の上面パネルと、
上記ＤＶＤユニットの前面においてＤＶＤを装填可能に進退するトレーを露出させるためのトレー用穴と上記ビデオカセットを上記ビデオカセットユニットに装填させるための挿入経路を露出させるための挿入経路穴とが形成され、本ＤＶＤとビデオカセットとの一体型再生装置の前面を形成するように上記シャーシに固定されるフロントパネルと、
板状部材の四方を略直角に屈曲して固定リブを形成するとともに当該板状部材の一部にて上記ＤＶＤユニットのトレーを進退可能な進退部を形成し、上記載置固定されるＤＶＤユニットの前方にて当該固定リブを介して上記シャーシに固定される前方磁気遮蔽板と、
板状部材の三方を略直角に屈曲して固定リブを形成し、さらに当該板状部材の一部に所定の切り込み入れて略直角に屈曲して固定リブを形成するとともに、本ＤＶＤとビデオカセットとの一体型再生装置の前後方向に配向されつつ当該固定リブを介して上記シャーシおよび上記前方磁気遮蔽板に固定され、内部を左右方向に分割して上記ＤＶＤユニットの収容領域およびビデオカセットユニットの収容領域とする分割磁気遮蔽板と、
略直角に屈曲された板状部材の一辺を略直角に屈曲して固定リブを形成するとともに当該固定リブを介して上記シャーシに固定され、上記分割磁気遮蔽板の切り込みによる固定リブを介して上記分割磁気遮蔽板に固定されて上記載置固定されるＤＶＤユニットの上方に配設される上方磁気遮蔽板とを具備することを特徴とするＤＶＤとビデオカセットとの一体型再生装置。
【発明の詳細な説明】
【０００１】
【発明の属する技術分野】
本発明は、再生ユニットケースおよびＤＶＤとビデオカセットとの一体型再生装置に関する。
【０００２】
【従来の技術】
従来の電子機器の筐体構造として、特開平６−２１６６３号公報に開示された技術が知られている。この筐体構造においては、シャーシベースに対して内側方向に突設したエンボス列を構成し、当該シャーシベースに対するシールドカバーにも対応するエンボスを設け、シャーシベースのエンボスによってプリント基板を支持するとともに、シャーシベースのエンボスとシールドカバーのエンボスとを嵌合させている。
【０００３】
【発明が解決しようとする課題】
上述した従来の電子機器の筐体構造においては、シールドカバーの周縁部を鉤状に成形する必要がなく、また、特に切り起こし部分を形成する必要がないので、小さな外形寸法にてケースを構成することができるし、簡単確実にプリント基板を支持することができた。しかし、近年のビデオデッキ等の映像再生装置においては、技術の進歩とともに新たな規格や記録／再生方式が開発され、旧来方式から新方式への過渡期や、特殊な用途、あるいは利用者の多様なニーズに対応するため、異なった方式の再生ユニットを一つの装置内に併存させることがある。このような装置においては、単一方式の再生装置においてはあり得なかったノイズ源に対する対策を行う必要があることを意味しており、また、そのノイズ源は上述の従来例にて対応するようなプリント基板からのものには限られない。
【０００４】
例えば、ＶＣＲにおいて通常はシリンダドラム周辺に磁気遮蔽板を設けるが、ＶＣＲと他の方式の再生ユニットとを併存させる場合にこのような磁気遮蔽板で磁気ノイズを十分に遮蔽できるとは限らない。しかしながら、他の方式の再生ユニットを上述の筐体構造のように遮蔽要の部材で完全に覆ってしまうのは、このような複数方式併存装置をいたずらに大きくしてしまう。
本発明は、上記課題にかんがみてなされたもので、複数の方式の再生ユニットを単一装置に併存させるに当たり、高周波発生機器を効率よくシールドすることが可能な再生ユニットケースおよびＤＶＤとビデオカセットとの一体型再生装置を提供すること目的とする。
【０００５】
【課題を解決するための手段】
上記目的を達成するため、第一の再生系ユニットと第二の再生系ユニットとを収容する再生ユニットケースであって、下面を形成するシャーシと、後面を形成するリアパネルと、上面および側面を形成する断面略コの字形状の上面パネルと、上記第一の再生系ユニットにおいて再生する記録媒体を挿入する挿入穴と上記第二の再生系ユニットにおいて再生する記録媒体を挿入する挿入穴とが形成された前面を形成するフロントパネルと、上記再生ユニットケースの前後方向に配向されることにより、内部を左右方向に分割して上記第一の再生系ユニット収容領域および第二の再生系ユニット収容領域とする分割磁気遮蔽板と、第一の再生系ユニットの上方に配設される上方磁気遮蔽板と、第一の再生系ユニットの前方に配設される前方磁気遮蔽板とを具備する構成としてある。
【０００６】
上記の構成において、当該再生ユニットケースは第一の再生系ユニットと第二の再生系ユニットとを収容するようになっており、外装はシャーシとリアパネルと上面パネルとフロントパネルとから構成されている。シャーシは下面を形成し、リアパネルは後面を形成し、フロントパネルは前面を形成するようになっており、断面略コの字形状の上面パネルを上部に被せることによって筐体を構成する。上面パネルは断面略コの字形状であることから筐体の上面および側面を構成する。尚、上記フロントパネルには第一および第二の再生ユニットのそれぞれにて再生する記録媒体を挿入する挿入穴が形成されている。
【０００７】
分割磁気遮蔽板は上記再生ユニットケースの前後方向に配向されることにより、内部を左右方向に分割して上記第一の再生系ユニット収容領域および第二の再生系ユニット収容領域とする。また、上方磁気遮蔽板は第一の再生系ユニットの上方に配設され、前方磁気遮蔽板は第一の再生系ユニットの前方に配設される。すなわち、上記第一の再生系ユニットと第二の再生系ユニットとを上記筐体内部に収容するために、筐体内部は前後方向に配向された分割磁気遮蔽板にて仕切られており、それぞれの再生系ユニットを収容するための領域が左右方向に分割されつつ形成されている。一方、この分割磁気遮蔽板は磁気遮蔽材として作用するので、分割磁気遮蔽板が筐体内部を仕切ることによって筐体の強度を向上させると同時に磁気遮蔽を行うことが可能であり、筐体内に磁気遮蔽板を効率的に配置することができる。
【０００８】
さらに、上方磁気遮蔽板を第一の再生系ユニットの前方に配設し、前方磁気遮蔽板を第一の再生系ユニットの前方に配設する。従って、上記分割磁気遮蔽板によって第一の再生系ユニットと第二の再生系ユニットとが隣接する位置の磁気遮蔽が行われ、上方磁気遮蔽板と前方磁気遮蔽板とによって第一の再生系ユニットの上方および前方の磁気遮蔽が行われる。すなわち、かかる磁気遮蔽によって第一の再生系ユニットから第二の再生系ユニットへの磁気の影響および第二の再生系ユニットから第一の再生系ユニットへの磁気の影響を低減することができる。
【０００９】
また、このように筐体内に効率的に磁気遮蔽板を配設するケースを適用するのに好適な具体例として、上記第一の再生系ユニットは、高周波信号を放出する機器である構成としても良い。上記の発明においては、第一の再生系ユニットは高周波信号を放出する機器であるが、上記分割磁気遮蔽板と上方磁気遮蔽板と前方磁気遮蔽板とによってその側面方向と上面方向と前面方向とが磁気的に遮蔽されているので、当該高周波信号による磁気が遮蔽されて第二の再生系ユニットに与える影響を低減することができる。
【００１０】
さらに、かかる高周波信号を放出する機器の具体例として、上記第一の再生系ユニットは、ＤＶＤの再生ユニットである構成としても良い。上記のような構成においては、上記第一の再生系ユニットはＤＶＤの再生ユニットである。同ＤＶＤの再生ユニットには、ＤＶＤから所定の再生信号を出力するための種々の回路が備えられており、光ピックアップ部やＭＰＥＧマイコン等から高周波信号を放出する。しかし、本発明にかかる再生ユニットケースにおいて第一の再生系ユニットとしてこのＤＶＤの再生ユニットを使用することによって、上記高周波信号を遮蔽し、第二の再生系ユニット等に与える影響を低減することができる。
【００１１】
さらに、第二の再生系ユニットに使用して好適な具体例として、上記第二の再生系ユニットは、再生媒体として磁気記録媒体を使用する機器である構成としても良い。上記のような構成においては、第二の再生系ユニットにて再生する媒体は磁気記録媒体である。すなわち、磁気記録媒体においては、例えば、磁性体を塗布した記録媒体を磁化させて情報を記録し、また、磁気ヘッドによって当該磁化された記録媒体から情報を読み出す構成となっており、磁気ノイズは磁化による情報記録および磁化された記録媒体からの情報読みだしの双方にとって致命的なノイズになる。従って、本発明にかかる再生ユニットケースに収容する再生ユニットとして、このような磁気記録媒体の再生ユニットを使用すると好適である。
【００１２】
さらに、再生媒体として磁気記録媒体を使用する機器の具体例として、上記第二の再生系ユニットは、ビデオカセットの再生ユニットである構成としても良い。上記のような構成においては、第二の再生系ユニットはビデオカセットの再生ユニットである。すなわち、ビデオカセットの再生ユニットにおいては再生に当たり、ビデオテープをシリンダドラムに引き出すなどして読み出しを行うようになっており、通常このビデオテープに対して何らかの磁気遮蔽を行っている。そこで、本発明にかかるケースを使用すると、筐体内に磁気遮蔽板を効率的に配設しつつビデオテープに対する磁気遮蔽を行うことができる。
【００１３】
さらに、上記分割磁気遮蔽板は、上記シャーシと上記リアパネルとに対して固定される構成としても良い。上記のような構成においては、分割磁気遮蔽板が上記シャーシと上記リアパネルとに対して固定されるので、分割磁気遮蔽板が筐体と一体になることによって再生ユニットケースの強度が向上する。
【００１４】
さらに、上記上方磁気遮蔽板は、上記シャーシと上記分割磁気遮蔽板とに対して固定される構成としても良い。上記のような構成においては、上方磁気遮蔽板が上記シャーシと上記分割磁気遮蔽板とに対して固定されるので、上方磁気遮蔽板が筐体と一体になることによって再生ユニットケースの強度が向上する。
【００１５】
さらに、上記前方磁気遮蔽板は、上記シャーシと上記分割磁気遮蔽板とに対して固定される構成としても良い。上記のような構成においては、上記前方磁気遮蔽板が上記シャーシと上記分割磁気遮蔽板とに対して固定されるので、上記前方磁気遮蔽板が筐体と一体になることによって再生ユニットケースの強度が向上する。
【００１６】
さらに、装填されるＤＶＤに記録された所定の再生信号を読み出して出力するためのメカを備えたＤＶＤユニットと、装填されるビデオカセットのビデオテープに記録された所定の再生信号を読み出して出力するためのメカを備えたビデオカセットユニットとの双方を備えたＤＶＤとビデオカセットとの一体型再生装置であって、上記ＤＶＤユニットとビデオカセットユニットとが載置固定されるとともに本ＤＶＤとビデオカセットとの一体型再生装置の下面を形成するシャーシと、本ＤＶＤとビデオカセットとの一体型再生装置の後面を形成するように上記シャーシに固定されるリアパネルと、本ＤＶＤとビデオカセットとの一体型再生装置の上面および側面を形成するように上記シャーシに固定される断面略コの字形状の上面パネルと、上記ＤＶＤユニットの前面においてＤＶＤを装填可能に進退するトレーを露出させるためのトレー用穴と上記ビデオカセットを上記ビデオカセットユニットに装填させるための挿入経路を露出させるための挿入経路穴とが形成され、本ＤＶＤとビデオカセットとの一体型再生装置の前面を形成するように上記シャーシに固定されるフロントパネルと、板状部材の四方を略直角に屈曲して固定リブを形成するとともに当該板状部材の一部にて上記ＤＶＤユニットのトレーを進退可能な進退部を形成し、上記載置固定されるＤＶＤユニットの前方にて当該固定リブを介して上記シャーシに固定される前方磁気遮蔽板と、板状部材の三方を略直角に屈曲して固定リブを形成し、さらに当該板状部材の一部に所定の切り込み入れて略直角に屈曲して固定リブを形成するとともに、本ＤＶＤとビデオカセットとの一体型再生装置の前後方向に配向されつつ当該固定リブを介して上記シャーシおよび上記前方磁気遮蔽板に固定され、内部を左右方向に分割して上記ＤＶＤユニットの収容領域およびビデオカセットユニットの収容領域とする分割磁気遮蔽板と、略直角に屈曲された板状部材の一辺を略直角に屈曲して固定リブを形成するとともに当該固定リブを介して上記シャーシに固定され、上記分割磁気遮蔽板の切り込みによる固定リブを介して上記分割磁気遮蔽板に固定されて上記載置固定されるＤＶＤユニットの上方に配設される上方磁気遮蔽板とを具備する構成としてある。
すなわち、上記具体的な構成を有するＤＶＤとビデオカセットとの一体型再生装置として実現しても有効である。
【００１７】
【発明の効果】
以上説明したように本発明によれば、分割磁気遮蔽板が筐体内部を仕切ることによって筐体の強度を向上させると同時に磁気遮蔽を行うことが可能であり、筐体内に磁気遮蔽板を効率的に配置することが可能な再生ユニットケースを提供することができる。
また、第一の再生系ユニットにて発生する高周波信号による磁気が効率的に遮蔽される。
さらに、ＤＶＤの再生ユニットにて発生する高周波信号による磁気が効率的に遮蔽される。
さらに、第一の再生系ユニットからの磁気が遮蔽されて第二の再生系ユニットで使用する磁気記録媒体に与える影響を低減することができる。
【００１８】
さらに、磁気ノイズがビデオテープに与える影響を低減することができる。
さらに、再生ユニットケースの強度が向上する。
さらに、再生ユニットケースの強度が向上する。
さらに、再生ユニットケースの強度が向上する。
さらに、分割磁気遮蔽板が筐体内部を仕切ることによって筐体の強度を向上させると同時に磁気遮蔽を行うことが可能であり、筐体内に磁気遮蔽板を効率的に配置することが可能なＤＶＤとビデオカセットとの一体型再生装置を提供することができる。
【００１９】
【発明の実施の形態】
以下、図面にもとづいて本発明の実施形態を説明する。
図１は、本発明の一実施形態にかかるＤＶＤとビデオカセットとの一体型再生装置の外観を斜視図により示し、図２は、上面パネルを取り外した状態の斜視図を示している。尚、当該ＤＶＤとビデオカセットとの一体型再生装置の筐体は本発明の一実施形態にかかる再生ユニットケースである。
ＤＶＤとビデオカセットとの一体型再生装置の筐体の外面は、断面略コの字形状の上面パネル１０と前面パネル２０とリアパネル３０とシャーシ４０とから構成されている。
【００２０】
シャーシ４０は下面を形成するとともにその両側および後部の辺が鉛直上方に向けて略直角に屈曲されている。この屈曲部には複数のビス穴が設けられており、同ビス穴を介して上記上面パネル１０およびリアパネル３０をビス締め固定するようになっている。また、同シャーシ４０の略中央には分割磁気遮蔽板５０を前後方向に配向させてビス締め固定するようになっており、同分割磁気遮蔽板５０はシャーシ４０上方の空間を紙面左右方向に分割し、紙面左方にＤＶＤユニット，紙面右方にビデオカセットユニットを載置固定するための領域を確保している。
【００２１】
リアパネル３０は、長方形の板状部材の長手辺の双方を略直角に屈曲させるようにして断面略コの字形状に形成されている。さらに、上記シャーシ４０の後部屈曲部のビス穴に対応する位置にビス穴が設けられており、同シャーシ４０にねじ締め固定されて後面を形成する。また、図示しない複数のコネクタ類が形成されており、当該複数のコネクタ類を介して上記ＤＶＤユニットやビデオカセットユニットからの再生信号を出力したり、電源供給を受けるなどしている。
【００２２】
前面パネル２０には、液晶ディスプレイ２１と操作パネル２２とこれらに所定の動作を行わせる図示しない制御回路が備えられており、上記上面パネル１０の裏面に構成された図示しないＣＰＵ等からなる主制御回路に接続され、制御される。この結果、上記液晶ディスプレイ２１においては所定のカウンタ表示や再生中の媒体の表示等がなされ、上記操作パネル２２においては再生させる媒体の選択や再生，早送り，巻戻し，停止等の動作指示を行うことができる。
【００２３】
前面パネル２０には、さらにＤＶＤ挿入穴２３とビデオカセット挿入穴２４とが設けられており、同ＤＶＤ挿入穴２３は後述するＤＶＤユニットのトレーが進退可能に設けられた穴であり、当該トレーにＤＶＤを載置してＤＶＤユニット内にＤＶＤを装填することができる。ビデオカセット挿入穴２４はビデオカセットを挿入可能に設けられた穴であって筐体奥方に開閉する扉が設けられており、ビデオカセットを挿入して後述するビデオカセットユニットに当該ビデオカセットを装填することができるようになっている。
【００２４】
上面パネル１０は長方形の板状部材の短手辺の双方を略直角に屈曲させるようにして断面略コの字形状に形成されている。さらに、上記シャーシ４０の両側屈曲部のビス穴に対応する位置にビス穴が設けられており、同シャーシ４０にねじ締め固定されて、上面および両側面を形成する。また、同上面パネル１０が形成する上面の裏面には上述のＣＰＵ等からなる主制御回路等を構成した基板が備え付けられており、本ＤＶＤとビデオカセットとの一体型再生装置のＤＶＤユニットやビデオカセットユニット、液晶ディスプレイ２１や上記コネクタ類と接続されて、所定のＤＶＤ再生処理やビデオ信号の入出力処理を実行するようになっている。
【００２５】
図３は本ＤＶＤとビデオカセットとの一体型再生装置の上面パネル１０と前面パネル２０とを取り外し、さらに、要部を分解した状態で示している。上述のように、シャーシ４０の上方の空間において紙面左方はＤＶＤユニット６０を載置固定するための領域であり、紙面右方はビデオカセットユニット６５を載置固定するための領域である。ＤＶＤユニット６０は紙面左方においてシャーシ４０に対してねじ締め固定されるとともに、磁気シールドが施されるようになっている。
【００２６】
すなわち、同ＤＶＤユニット６０に対して紙面右方には上記分割磁気遮蔽板５０が配設され、上面方向には上方磁気遮蔽板５２が配設され、前面方向には前方磁気遮蔽板５４が配設される。分割磁気遮蔽板５０においては長方形状の板状部材の長手辺の一つが略直角に屈曲されて屈曲部５０ａを形成しており、同屈曲部５０ａの前方端には後述する前方磁気遮蔽板５４と連結固定するためのビス穴が設けられている。また、分割磁気遮蔽板５０の短手辺の一つが略直角に屈曲されて屈曲部５０ｂを形成しており、同屈曲部５０ｂの上方端には上記リアパネル３０と連結固定するためのビス穴が設けられている。
【００２７】
上記屈曲部５０ａが設けられている長手辺に対向する長手辺の略中央においては上記屈曲部５０ａの反対方向へ屈曲されてなる固定リブ５０ｃが設けられている。さらに、分割磁気遮蔽板５０の略中央上方寄りの二カ所には略半円形状の切り込みが入れられており、上記屈曲部５０ａと同一方向に向けて略直角に屈曲されて固定リブ５０ｄを形成している。当該固定リブ５０ｄは後述する上方磁気遮蔽板５２と連結固定するためのものであり、同固定リブ５０ｄに対するビス締めが可能になるように上記屈曲部５０ａの対応する位置が切り欠かれている。
【００２８】
上方磁気遮蔽板５２は、板状部材の一辺寄りの所定位置を略直角に屈曲されており、当該屈曲部と平行な一辺においては上記固定リブ５０ｄに対応した位置にビス穴が空けられており、屈曲部と平行な他の一辺においては当該辺に沿って所定の二カ所に突出が設けられるとともに当該突出が略直角に屈曲されて固定リブ５２ａが設けられている。当該上方磁気遮蔽板５２の上記屈曲部においては、上記固定リブ５２ａに対応した所定の位置に切り込みが入れられており、固定リブ５２ａを介してビス締めを行うことが可能であり、同固定リブ５２ａによって上記シャーシ４０に対して固定するようになっている。尚、シャーシ４０の対応する位置にも固定リブが設けられている。
【００２９】
前方磁気遮蔽板５４は、板状部材の四方を略直角に屈曲して構成されるとともに、その一辺が上記ＤＶＤユニット６０のトレーを進退可能に切り欠かれている。上記屈曲部のうち、上部の屈曲部は、その一方端において上記屈曲部５０ａのビス穴に対応する位置にビス穴が設けられた屈曲部５４ａを形成しており、当該ビス穴を介して上記分割磁気遮蔽板と連結固定される。下部の屈曲部は、所定のビス穴が設けられた固定リブ５４ｂを形成しており、上記シャーシ４０に対してビス締め固定される。
【００３０】
このような構成において、ＤＶＤとビデオカセットとの一体型再生装置を組み立てるに当たり、まず上記前方磁気遮蔽板５４を上記固定リブ５４ｂを介してシャーシ４０に対してビス締め固定する。そして、上記ＤＶＤユニット６０をシャーシ４０に対して載置固定し、上記分割磁気遮蔽板５０を上記前方磁気遮蔽板５４の側面の屈曲部と屈曲部５４ａとに被せるようにするとともに、上記固定リブ５０ｃを介してシャーシ４０に対してビス締め固定する。さらに、上記屈曲部５０ａのビス穴と上記屈曲部５４ａのビス穴とを介して分割磁気遮蔽板５０と前方磁気遮蔽板５４とをビス締めによって連結固定する。
【００３１】
この状態では上記ＤＶＤユニット６０はその上方が露出しているので、上記上方磁気遮蔽板５２を被せるようにしつつ、上記分割磁気遮蔽板５０の固定リブと同上方磁気遮蔽板５２の対応するビス穴とを介してビス締め固定する。さらに、上記固定リブ５２ａを介して上記シャーシ４０に対してビス締め固定する。さらに、リアパネル３０は上記シャーシ４０にビス締め固定されるとともに上記屈曲部５０ｂのビス穴を介してビス締め固定される。
【００３２】
このように、本発明においては、分割磁気遮蔽板５０は上記リアパネル３０とシャーシ４０と前方磁気遮蔽板５４とに対して連結固定されている。上方磁気遮蔽板５２は上記分割磁気遮蔽板５０とシャーシ４０とに対して連結固定されている。前方磁気遮蔽板５４は上記分割磁気遮蔽板５０とシャーシ４０とに対して連結固定されている。従って、各遮蔽板はシャーシ４０に対して連結されるとともに、少なくとも他の一の遮蔽板に対して連結されており、これらの遮蔽板の組み合わせによってリアパネル３０やシャーシ４０等が多くの点で種々の部材と連結されることとなり、ＤＶＤとビデオカセットとの一体型再生装置を組み上げた後の強度が確保される。
【００３３】
一方、上記分割磁気遮蔽板５０と上方磁気遮蔽板５２と前方磁気遮蔽板５４とは、ＤＶＤユニット６０が放射する高周波信号をシールドするような磁性体で構成されている。本実施形態においてはこれらの磁気遮蔽板は鉄板によって構成されているが、むろん他の高透磁性物質によって構成することも可能である。ＤＶＤユニット６０が、このように上方，前方および側面にて磁気シールドがなされることによって、ＤＶＤユニット６０の駆動によって発生する光ピックアップやＭＰＥＧマイコン等からの高周波信号が遮蔽され、上記紙面右方に載置固定されるビデオカセットユニット６５に対して影響を及ぼす磁気成分が低減される。
【００３４】
以上のように、本発明ではＤＶＤとビデオカセットとの一体型再生装置の筐体に対して、強度補強部材として機能する板状部材であって磁気遮蔽が可能な素材の部材によってＤＶＤユニットを覆う。従って、筐体強度を向上させつつ効率的に磁気遮蔽を行うことができる。このように強度を向上させつつ効率的に磁気遮蔽を行うための構成としては、上記磁気遮蔽板のような形状に限ることはないし、部材の数も様々である。また、上記実施形態においては、ＤＶＤユニットの後方は種々のコネクタ用のスペースを確保するために遮蔽板を設けなかったが、その形状および後方からの高周波信号の放射の影響度に応じて後方にも磁気遮蔽板を設けるような構成にすることもできる。
【００３５】
図４は上方磁気遮蔽板と前方磁気遮蔽板とに関する第二の実施形態を示しており、ＤＶＤユニット６００の斜め後方から眺めた状態を示している。本実施形態においては、上記上方磁気遮蔽板と前方磁気遮蔽板とは一つの板状部材から一つの磁気遮蔽板５２０として成形されている。図５は当該磁気遮蔽板５２０を斜め前方から眺めた状態を示している。図において、磁気遮蔽板は一つの板状部材の三辺を略直角に屈曲させて構成されている。前方の屈曲面５２０ａはさらに当該屈曲面５２０ａに対して略直角に屈曲されており、シャーシ４０に対する固定リブが構成されている。
【００３６】
また、屈曲面５２０ａはその下部から略中央まで切り欠かれており、上記ＤＶＤユニット６００のトレーを進退可能な通路を形成する。側面を形成する屈曲面５２０ｂにおいてもさらに当該屈曲面５２０ｂの下部で略直角に屈曲されており、シャーシ４０に対する固定リブが構成されている。当該固定リブの直上に当たる磁気遮蔽板５２０の所定位置には切り込みが設けられており、ビスを挿入するなどして上記固定リブに対するビス締め固定を行うようになっている。後方の屈曲面５２０ｃは屈曲された状態で上記ＤＶＤユニット６００の後面の略半分程度を覆うような長さで構成されている。すなわち、ＤＶＤユニット６００の後面略半分は露出されるようになっており、当該露出部からコネクタ類を露出させるようになっている。
【００３７】
この実施形態において、ＤＶＤユニット６００の構成や分割磁気遮蔽板５００の構成は上記第一の実施形態と同様であり、他のシャーシやリアパネルの構成等も同様である。かかる構成において、シャーシに対してＤＶＤユニット６００を載置固定した後、分割磁気遮蔽板５００をシャーシとリアパネルにビス締め固定する。その後、磁気遮蔽板５２０にてＤＶＤユニット６００を覆うようにして屈曲面５２０ａの固定リブと屈曲面５２０ｂの固定リブを介して当該磁気遮蔽板５２０をシャーシに対してビス締め固定する。さらに、上記分割磁気遮蔽板５００に設けられた切り込みによる固定リブを介して分割磁気遮蔽板５００と磁気遮蔽板５２０とをビス締め固定する。
【００３８】
この結果、磁気遮蔽板５２０によってＤＶＤユニット６００の前面と後面の一部と側面の一方とが覆われ、分割磁気遮蔽板５００によって同ＤＶＤユニット６００の側面の他方が覆われる。従って、ＤＶＤユニット６００から放射される高周波信号が遮蔽されてビデオカセットユニット６５に与える影響が低減される。また、分割磁気遮蔽板５００はリアパネルとシャーシとに固定されており、磁気遮蔽板５２０はシャーシに固定されており、分割磁気遮蔽板５００と磁気遮蔽板５２０とが互いに連結固定されている。従って、リアパネルとシャーシとが多くの点および部材で固定され、ＤＶＤとビデオカセットとの一体型再生装置の筐体強度が向上する。
【００３９】
このように、本発明は、第一の再生系ユニットと第二の再生系ユニットとを併存させる機器の再生ユニットケースにおいて、再生ユニットケースの前後方向に配向され、内部を左右方向に分割する分割磁気遮蔽板と、第一の再生系ユニットの上方に配設される上方磁気遮蔽板と、第一の再生系ユニットの前方に配設される前方磁気遮蔽板とを構成する。これらの遮蔽板は磁気遮蔽板として機能するとともに筐体の補強部材として機能する。従って、複数の方式の再生ユニットを単一装置に併存させるに当たり、高周波発生機器を効率よくシールドすることができる。
【図面の簡単な説明】
【図１】本発明の一実施形態にかかるＤＶＤとビデオカセットとの一体型再生装置の外観を示す斜視図である。
【図２】ＤＶＤとビデオカセットとの一体型再生装置の上面パネルを取り外した状態の斜視図である。
【図３】ＤＶＤとビデオカセットとの一体型再生装置の要部分解斜視図である。
【図４】第二の実施形態における要部の斜視図である。
【図５】第二の実施形態における磁気遮蔽板を示す斜視図である。
【符号の説明】
１０…上面パネル
２０…前面パネル
２１…液晶ディスプレイ
２２…操作パネル
２３…ＤＶＤ挿入穴
２４…ビデオカセット挿入穴
３０…リアパネル
４０…シャーシ
５０…分割磁気遮蔽板
５０ａ…屈曲部
５０ｂ…屈曲部
５０ｃ…固定リブ
５０ｄ…固定リブ
５２…上方磁気遮蔽板
５２ａ…固定リブ
５４…前方磁気遮蔽板
５４ａ…屈曲部
５４ｂ…固定リブ
６０…ＤＶＤユニット
６５…ビデオカセットユニット
【図１】
0003611194.tif 000002
【図２】
0003611194.tif 000003
【図３】
0003611194.tif 000004
【図４】
0003611194.tif 000005
【図５】
0003611194.tif 000006